(57)【要約】【課題】バナー広告を掲載する広告掲載サイトを多数有する広告主サイトが大手ロボット型検索エンジンの検索結果の上位表示に効果をもたらすネットワーク広告配信管理システムを提供する。【解決手段】ユーザーが広告掲載サイトに設置されたバナー広告より広告主サイトを呼出す際に、広告掲載サイトや広告主サイトの情報を取得するための広告管理サイトのＷＥＢページを経由せず、直接広告主サイトのＵＲＬを用いて接続できるようにし、広告掲載サイトや広告主サイトの情報は広告主サイトが表示された直後に広告管理サイトへ送信することにし、広告主サイトは自ページに直接接続できるＵＲＬをＨＴＭＬコードによって記述された広告掲載サイトを多数有することにより、大手ロボット型検索エンジンの検索結果の上位表示に効果をもたらすよう構成した。【選択図】図１
2006079577.tif 000002
【特許請求の範囲】
【請求項１】
広告掲載サイトの運営者は広告を掲載するＷＥＢページのＵＲＬを広告管理サイトに登録し、その登録されたＵＲＬのＷＥＢページに掲載されたバナー広告をユーザーがクリックして広告主サイトが呼び出された直後に、リンク元の広告掲載サイトのＵＲＬの情報を広告管理サイトに送信し、そのＵＲＬが広告掲載サイトの登録ＵＲＬであれば、その登録ＵＲＬと広告主サイトのＩＤをユーザーの端末のクッキーに保存させ、ユーザーが広告主サイトで購入行為等を行った場合に広告主サイトの購入手続き完了ページより広告管理サイトに広告主サイトのＩＤ及び売上金額など必要な情報を送信し、広告管理サイトはユーザーの端末のクッキーに保存された広告主サイトのＩＤ及び広告掲載サイトの登録ＵＲＬを読み込み、その登録ＵＲＬより広告掲載サイトを特定し、どの広告掲載サイトがどのユーザーをどの広告主サイトへ紹介したかを広告管理サイトが記録できるようにすることにより、ユーザーが広告掲載サイトから広告主サイトを呼出す際は、広告管理サイトのＷＥＢページを経由せず、直接広告主サイトに接続出来るように構成したことを特徴とするネットワーク広告配信管理システム。
【発明の詳細な説明】
【技術分野】
【０００１】  本発明は、インターネット等を利用し、ＷＥＢページのバナー広告を介してオンラインショッピング等の電子商取引を行うシステムを有する広告主サイトのアクセス数の増大を図るためのネットワーク広告配信管理システムに関するものである。
【背景技術】
【０００２】  ユーザーが広告掲載サイトのバナー広告を経由して広告主の商用サイトにアクセスし、該商用サイトにおいて商品やサービスの購入が発生した場合に、広告主が広告掲載サイトの運営者に成功報酬として広告料を支払うという広告配信手法が近年増大している。これは通常アフィリエイトプログラムと呼ばれている。【０００３】  一方、ユーザーが所望する情報を探す際、大手ロボット型検索エンジンを利用することが非常に多い。そのため大手ロボット型検索エンジンにおいて、指定したキーワードで検索結果の上位にＷＥＢページを表示させるための検索エンジン最適化手法が同じように増大している。上位に表示されるためには様々な要因があるが、自サイトのＷＥＢページへ直接接続できるＵＲＬでリンクされているＨＴＭＬコードが埋め込まれている大手ロボット型検索エンジンが重要とみなすＷＥＢページを多数有しているほど、上位表示に最も大きな効果をもたらすと言われている。
【非特許文献１】ＷＥＢサイト「Ｇｏｏｇｌｅ」ｈｔｔｐ：／／ｗｗｗ．ｇｏｏｇｌｅ．ｃｏ．ｊｐ／
【０００４】  前記アフィリエイトプログラムの従来の技術では大手ロボット型検索エンジンが重要とみなすＷＥＢページに広告主サイトのバナー広告を掲載する広告掲載サイトが増大することが期待できる。ところがユーザーが広告掲載サイトから広告主サイトを呼び出す際、広告掲載サイトや広告主サイトの特定などを行う必要があり、その方法として図３に示すようにいったん広告管理サイトのＷＥＢページに接続させ、広告管理サイトに必要な情報を送信し、該管理サイトより間接的に広告主サイトを呼出すという手法がとられているため、広告主サイトがバナー広告を掲載している大手ロボット型検索エンジンが重要とみなす広告掲載サイトのＷＥＢページを多数有していても大手ロボット型検索エンジンの検索結果の上位表示には効果をもたらさなかった。
【発明の開示】
【発明が解決しようとする課題】
【０００５】  そこで、アフィリエイトプログラムを活用した場合でも、大手ロボット型検索エンジンの検索結果の上位表示に大きな効果をもたらすためには、ユーザーが広告掲載サイトから広告主サイトへ接続する際に、広告管理サイトのＷＥＢページを経由せずに直接広告主サイトへ接続できるＵＲＬでリンクされたＨＴＭＬコードが広告を掲載する広告掲載サイトのＷＥＢページに埋め込まれている必要があり、なおかつユーザー及び広告掲載サイト及び広告主サイトを特定できるようにする広告配信管理システムが必要である。
【課題を解決するための手段】
【０００６】  上記課題を解決するために、広告掲載サイトの運営者は広告を掲載するＷＥＢページのＵＲＬを広告管理サイトに登録し、その登録されたＵＲＬのＷＥＢページに掲載されたバナー広告をユーザーがクリックして広告主サイトが呼び出された直後に、リンク元の広告掲載サイトのＵＲＬの情報を広告管理サイトに送信し、そのＵＲＬが広告掲載サイトの登録ＵＲＬであれば、その登録ＵＲＬと広告主サイトのＩＤをユーザーの端末のクッキーに保存させ、ユーザーが広告主サイトで購入行為等を行った場合に広告主サイトの購入手続き完了ページより広告管理サイトに広告主サイトのＩＤ及び売上金額など必要な情報を送信し、広告管理サイトはユーザーの端末のクッキーに保存された広告主サイトのＩＤ及び広告掲載サイトの登録ＵＲＬを読み込み、その登録ＵＲＬより広告掲載サイトを特定し、どの広告掲載サイトがどのユーザーをどの広告主サイトへ紹介したかを広告管理サイトが記録できるようにすることにより、ユーザーが広告掲載サイトから広告主サイトを呼出す際は、広告管理サイトのＷＥＢページを経由せず、直接広告主サイトに接続出来るように構成した。
【発明の効果】
【０００７】  以上に説明したように、本発明によれば、広告主サイトは、広告管理サイトのＷＥＢページを経由せず、直接接続されるＵＲＬでリンクされたＨＴＭＬコードをＷＥＢページに埋め込むことになる多くの広告掲載サイトのＷＥＢページを有することになり、大手ロボット型検索エンジンの検索結果の上位表示に効果をもたらすことになる。
【発明を実施するための最良の形態】
【０００８】  以下、図面を参照して本発明の実施の形態を説明する。図１は本発明による広告主サイトの呼出し方法及び必要情報記録方法を示す図である。この図１を参照して、まず、本発明の概要を説明する。【０００９】  ユーザー１はパーソナルコンピュータなどの通信端末であり、インターネットを通じてＷＥＢページを閲覧するためのＷＥＢブラウザを搭載している。【００１０】  広告掲載サイト２は、ＷＥＢページ〔ハイパーリンク（他のドキュメントへの参照ポインタ）が埋め込まれているもの〕を提示できるＷＥＢサーバーを備えており、広告主サイト３に直接接続することができるバナー広告をそのＷＥＢページに掲載している。図１の例では、広告掲載サイト２は１つのみが示されているが、実際には多数の広告掲載サイトがこのシステムに存在するものである。【００１１】  バナー広告を掲載する広告掲載サイト２に接続したユーザーは、そのバナー広告の広告主サイト３を利用したい時には、そのバナー広告をクリックすることで、その広告主サイト３のＷＥＢサーバーに、そのバナー広告に埋め込まれたＵＲＬを用いてインターネット経由で直接接続することができる。【００１２】  広告主サイト３は、そのバナー広告を掲載する契約をした広告掲載サイト２を多数有しており、広告管理サイト４に広告掲載元である広告掲載サイト２のＷＥＢページの登録ＵＲＬと広告主ＩＤを送信するための、ＨＴＭＬコード（＜ＩＭＧ  ＳＲＣ＝””＞タグで記述されたもの）が埋め込まれている。【００１３】  広告管理サイト４はユーザー１及び広告掲載サイト２及び広告主サイト３の特定や広告報酬の計算などを行う管理サイトであり、ユーザー１に対して広告掲載サイト２のＷＥＢページの登録ＵＲＬと広告主ＩＤをクッキーとして保存するためのクッキー発行機能を有している。【００１４】  以下、この実施例システムの動作を説明する。図１に示すように、広告掲載サイト２で表示するＷＥＢページには、広告主サイト３のバナー広告が設置されており、このバナー広告には広告管理サイト４のＷＥＢページを経由せず、広告主サイト３に直接接続することができるＵＲＬがＨＴＭＬコードによって記述されている。ユーザー１が広告掲載サイト２にアクセスすると、この広告掲載サイト２のＷＥＢページがユーザー１のＷＥＢブラウザに表示される。ユーザー１はこの広告掲載サイト２のＷＥＢページのバナー広告をクリックすることで、そのバナー広告に埋め込まれた広告主サイト３のＵＲＬを用いて、該広告主サイト３に直接接続するものとする。【００１５】  これにより、ユーザー１のＷＥＢブラウザに広告主サイト３が表示された直後に、広告管理サイト４に情報を送信するために広告主サイト３に埋め込まれた前記＜ＩＭＧ  ＳＲＣ＝””＞タグが起動し、リンク元の広告掲載サイト２のＵＲＬと広告主ＩＤを広告管理サイト４に送信する。【００１６】  広告管理サイト４は送られてきたＵＲＬが該管理サイトに登録されてある広告掲載サイト２のＵＲＬであるか否かの確認をし、登録されてあるＵＲＬであれば、ユーザー１に広告掲載サイト２の登録ＵＲＬと広告主サイト３のＩＤをクッキーとして発行し保存する。ここで、ユーザー１が広告掲載サイト２以外のＷＥＢページよ��広告主サイト３へ接続してきた場合は、接続元のＵＲＬは広告管理サイト４には登録されていないので、該管理サイトはユーザーに対してクッキーの発行は行わない。【００１７】  ユーザー１が広告主サイト３で商品購入等を行った場合は、図２に示すように、広告管理サイト４はユーザー１の端末のクッキーに記録された広告掲載サイト２の登録ＵＲＬと広告主サイト３のＩＤを読み取り、その登録ＵＲＬから広告掲載サイト２のＩＤを特定し、取引ごとに広告掲載サイト２のＩＤと広告主サイト３のＩＤとユーザー１を特定するために広告主サイト３が発行したＩＤ（もしくは注文番号など）と広告主が広告掲載サイト２の運営者に支払う報酬額などを計算し、記録する。
【実施例】
【００１８】  本発明の実施にあたっては上記したものの他にも種々の変形形態が可能である。例えば、上述の実施例では、成功報酬を主とするアフィリエイトプログラムを例に説明したが、本発明はこれに限られるものではなく、１クリック毎に広告報酬が加算されるクリック保障型の広告配信システムで本発明を活用してもよい。【００１９】  また、上述の実施例では広告管理サイトは、どの機関が運用するものかということは特定していないが、これは広告主サイトの運営者が直接運用されるものであってもよく、これとは別に広告掲載サイトの開拓、掲載広告の配信・管理や広告費用の支払いなどの管理を広告主に代わって広告配信管理代行サービス会社が運用・管理するようにしてもよく、この場合には、ネットワーク上にこの広告配信管理代行サービス会社が運用する管理サイトを設け、この広告配信管理代行サービス会社の管理サイトが多数の広告主サイトおよび広告掲載サイトと契約して、広告掲載サイトに対して広告サイトの広告を配信管理し、ユーザーが広告配信管理代行サービス会社の広告掲載サイト経由で当該広告主サイトを訪れて商品購入等をすると、随時その購入情報等をネットワークを通じて広告主サイトから受信できるようにし、それらの購入情報等に基づいて広告掲載サイトへの広告掲載料の計算・支払いなどの広告配信管理を代行して行うようにしてもよい。
【図面の簡単な説明】
【００２０】
【図１】  本発明における広告主サイト呼出し方法と必要情報記録方法を示す図である。
【図２】  本発明における広告掲載サイト特定方法と必要情報記録方法を示す図である。
【図３】  従来の広告配信管理システムにおける広告主サイト呼出し方法と必要情報記録方法を示す図である。
【符号の説明】
【００２１】１  ユーザー
２  広告掲載サイト
３  広告主サイト
４  広告管理サイト
【図１】
2006079577.tif 000003
【図２】
2006079577.tif 000004
【図３】
2006079577.tif 000005